(57)【要約】【課題】インサート材の露出面に文字や模様用の樹脂部を形成して、意匠性に優れた樹脂成形品を得ることを目的とする。【解決手段】インサート材４を、その一部が露出した状態で樹脂部５に埋設してある樹脂成形品１００であって、インサート材４の露出した表面のうち、内方部の少なくとも一部の領域に樹脂部５を形成する樹脂が充填された樹脂充填部４Ａを備え、当該樹脂充填部４Ａとインサート材４の周囲の樹脂部５とを連通する連通部４Ｂ、４Ｃを、樹脂充填部４Ａに対してインサート材４の平面方向に沿って少なくとも二つ設けた。【選択図】図１
2010274605.tif 000002
【特許請求の範囲】
【請求項１】
インサート材を、その一部が露出した状態で樹脂部に埋設してある樹脂成形品であって、
前記インサート材の露出した表面のうち、内方部の少なくとも一部の領域に前記樹脂部を形成する樹脂が充填された樹脂充填部を備え、
当該樹脂充填部と前記インサート材の周囲の樹脂部とを連通する連通部を、前記樹脂充填部に対して前記インサート材の平面方向に沿って少なくとも二つ設けてある樹脂成形品。
【請求項２】
前記連通部の少なくとも一つが前記インサート材の表面を除く部位に形成されてなる請求項１に記載の樹脂成形品。
【請求項３】
表面側の前記樹脂充填部の一部が前記インサート材の外縁端部まで切り欠かれることにより、前記連通部の少なくとも一つが前記インサート材の側面の開口部となるように形成されており、当該連通部とこれに連続する前記樹脂充填部おける前記インサート材の厚みを、前記インサート材の外縁に向けて徐々に薄くなるように形成してある請求項１または２に記載の樹脂成形品。
【請求項４】
インサート材の少なくとも一部が樹脂部に埋設し、埋設されたインサート材の露出する表面側の内方部に樹脂充填部を備えた樹脂成形品の製造方法であって、
表面側の内方部に樹脂充填部を形成し、当該樹脂充填部と前記インサート材の周囲の樹脂部とを連通する連通部を、前記樹脂充填部に対して前記インサート材の表面に沿って少なくとも二つ設けたインサート材を用い、
第１金型に前記インサート材を位置決めして配置するインサート材配置工程と、
前記第１金型と第２金型とを型締めして、第１金型と第２金型と前記インサート材との間に樹脂注入用のキャビティを形成するキャビティ形成工程と、
前記インサート材に形成された前記連通部の一方から樹脂を注入し、前記連通部の他方から樹脂を流出させて、前記樹脂充填部と前記樹脂注入用のキャビティの両方に樹脂を充填する樹脂注入工程と、の各工程を備えた樹脂成形品の製造方法。
【請求項５】
前記インサート材の前記連通部の少なくとも一つが前記インサート材の表面を除く部位に形成されてなる請求項４に記載の樹脂成形品の製造方法。
【請求項６】
前記樹脂注入工程において、前記第１金型に備えた樹脂注入用のゲートから前記インサート材の裏面に向けて樹脂を注入するようにした請求項５に記載の樹脂成形品の製造方法。
【発明の詳細な説明】
【技術分野】
【０００１】
本発明は、一部が樹脂部から露出した状態で樹脂部に埋設されたインサート材を備える樹脂成形品、および、その製造方法に関する。
【背景技術】
【０００２】
従来から、金属製等のインサート材の表面を露出させた状態で、インサート材を樹脂部に埋設した樹脂成形品が存在する。そのような樹脂成形品は、金型内のキャビティにインサート材を配設し、当該キャビティに樹脂を射出成形して形成される。樹脂成形品の表面にインサート材を露出させるには、樹脂成形品を射出成形する際、キャビティ内のインサート材は一方の金型に押し付けられる。従来の技術では、特許文献１（図１３参照）に記載されているように、インサート材の表面側の部位を、金型に設けた位置決めピン等で所定位置に固定し、この状態で樹脂の射出成形を行っていた。
【先行技術文献】
【特許文献】
【０００３】
【特許文献１】特開２０００−１２７１９８号公報
【発明の概要】
【発明が解決しようとする課題】
【０００４】
近年、樹脂成形品が多様になり、これまでになかった意匠態様を有する樹脂成形品が望まれるようになった。例えば、表面に露出するインサート材を備え、さらに、インサート材の露出する部分の形状を変える製品等である。
しかし、従来技術では、インサート材の形状を変えることはできても、インサート材の露出面に樹脂部を配置するといった自由な模様を形成することができず、樹脂成形品の意匠性を大幅に変えるまでには至っていなかった。
【０００５】
そこで、本発明は、インサート材の露出面に文字や模様用の樹脂部を形成して、意匠性に優れた樹脂成形品を得ることを目的とする。
【課題を解決するための手段】
【０００６】
本発明に係る樹脂成形品の第１の特徴構成は、インサート材を、その一部が露出した状態で樹脂部に埋設してある樹脂成形品であって、
前記インサート材の露出した表面のうち、内方部の少なくとも一部の領域に前記樹脂部を形成する樹脂が充填された樹脂充填部を備え、
当該樹脂充填部と前記インサート材の周囲の樹脂部とを連通する連通部を、前記樹脂充填部に対して前記インサート材の平面方向に沿って少なくとも二つ設けた点にある。
【０００７】
この構成により、樹脂充填部とインサート材の周囲の樹脂部とを連通する連通部が設けてあるので、樹脂射出成形の際にインサート材の周囲の樹脂充填と、インサート材の樹脂充填部内の樹脂充填とを同時に行なうことができる。
また、連通部が少なくとも二つ設けてあるので、一方の連通部から樹脂充填部に流入したときに、他方の連通部から樹脂充填部の余剰の樹脂を流出させることができる。したがって、樹脂充填部におけるエア溜りや樹脂の充填不良等の問題も解消できる。
【０００８】
さらに、連通部を樹脂充填部に対してインサート材の平面方向に沿って設けたので、射出成形の際の、インサート材の周囲の樹脂部と樹脂充填部との間の樹脂の流れがスムーズとなって、樹脂充填部における樹脂の充填不良等の問題も起こりにくい。
このように、表面の一部にインサート材が露出した状態で埋設された樹脂成形品にあって、インサート材の形状を変えるのみならず、インサート材の内方部にも自由な模様を有する樹脂部を備えることができ、意匠性に優れ、バリエーションに富む樹脂成形品を得ることが可能になる。
【０００９】
本発明に係る樹脂成形品の第２の特徴構成は、前記連通部の少なくとも一つが前記インサート材の表面を除く部位に形成された点にある。
【００１０】
このように、インサート材の表面を除く部位、つまり、裏側または側面に連通部を形成し、インサート材の露出する表面側に連通部が形成されないようにする。そうすると、インサート材の表側周縁部を完全に露出させることができ、樹脂に埋設されたインサート材の意匠性が高まる。また、意匠性インサート材の内方部の樹脂充填部からなる文字や模様の表示が、インサート材の周囲の樹脂部から際立つ印象を与えるようにもなるので、樹脂成形品全体の意匠性も高まる。
【００１１】
本発明に係る樹脂成形品の第３の特徴構成は、表面側の前記樹脂充填部の一部が前記インサート材の外縁端部まで切り欠かれることにより、前記連通部の少なくとも一つが前記インサート材の側面の開口部となるように形成されており、当該連通部とこれに連続する前記樹脂充填部おける前記インサート材の厚みを、前記インサート材の外縁に向けて徐々に薄くなるように形成した点にある。
【００１２】
インサート材の外縁の樹脂充填部や連通部における樹脂の厚みと、インサート材の周囲の樹脂の厚みの差が大きい場合、樹脂成形後に樹脂部が収縮した際に、インサート材４の外縁の樹脂部５とインサート材４の周囲の樹脂部５との境目で樹脂厚の差による段差が発生し、樹脂成形品の外観上好ましくない。そこで、前記構成のように、連通部とこれに連続する樹脂充填部におけるインサート材の厚みをインサート材の外縁に向けて徐々に薄くなるようにした。こうすると、連通部または連通部とこれに連続する樹脂充填部における樹脂の厚みが徐々に厚くなるので、樹脂部の収縮によるインサート材の周囲の樹脂部とインサート材の外縁の連通部との間の段差の発生を極力抑えることができる。よって、樹脂成形品の表面において、インサート材の連通部とこれに連続する樹脂充填部の樹脂部と、インサート材の周囲の樹脂部とが滑らかに連続することとなり、樹脂成形品の意匠性が向上する。
【００１３】
本発明に係る樹脂成形品の製造方法の第１の特徴手段は、インサート材の少なくとも一部が樹脂部に埋設し、埋設されたインサート材の露出する表面側の内方部に樹脂充填部を備えた樹脂成形品の製造方法であって、
表面側の内方部に樹脂充填部を形成し、当該樹脂充填部と前記インサート材の周囲の樹脂部とを連通する連通部を、前記樹脂充填部に対して前記インサート材の平面方向に沿って少なくとも二つ設けたインサート材を用い、
第１金型に前記インサート材を位置決めして配置するインサート材配置工程と、
前記第１金型と第２金型とを型締めして、第１金型と第２金型と前記インサート材との間に樹脂注入用のキャビティを形成するキャビティ形成工程と、
前記インサート材に形成された前記連通部の一方から樹脂を注入し、前記連通部の他方から樹脂を流出させて、前記樹脂充填部と前記樹脂注入用のキャビティの両方に樹脂を充填する樹脂注入工程と、の各工程を備えた点にある。
【００１４】
この構成により、インサート材の少なくとも一部が樹脂部に埋設し、埋設されたインサート材の露出する表面側の内方部に樹脂充填部を備えた樹脂成形品が容易に製造できる。
つまり、樹脂充填部を形成し、当該樹脂充填部とインサート材の周囲の樹脂部とを連通する連通部を、前記樹脂充填部に対して前記インサート材の表面に沿って少なくとも二つ設けたインサート材を用いることで、当該インサート材を金型内に配置し、金型で型締めしてキャビティを形成した後、キャビティに樹脂を注入するだけの工程により、樹脂充填部とキャビティの両方に樹脂が充填された樹脂成形品を製造することができる。
【００１５】
本発明に係る樹脂成形品の製造方法の第２の特徴手段は、前記インサート材の前記連通部の少なくとも一つが前記インサート材の表面を除く部位に形成されてなる点にある。
【００１６】
この構成により、インサート材の表面を除く部位に連通部が形成されることで、注入される樹脂はインサート材の裏側もしくは側面から樹脂充填部に流入または樹脂充填部から流出することとなり、インサート材の表面に連通部による不要な樹脂部が形成されない樹脂成形品を製造することができる。
また、連通部を全てインサート材の表面を除く部位に形成すると、インサート材の表面に連通部による不要な樹脂部が全く形成されない樹脂成形品を製造することもできる。
【００１７】
本発明に係る樹脂成形品の製造方法の第３の特徴手段は、前記樹脂注入工程において、前記第１金型に備えた樹脂注入用のゲートから前記インサート材の裏面に向けて樹脂を注入するようにした点にある。
【００１８】
この構成により、キャビティの内部に樹脂を注入する際に、樹脂注入用のゲートからインサート材の裏側に樹脂を作用させることができる。この結果、樹脂注入工程の開始段階でインサート材が第２金型の側に押圧される。よって、その後に注入される樹脂がインサート材と第２金型との間に侵入することがなく、良好な表面を有する樹脂成形品を得ることができる。
【図面の簡単な説明】
【００１９】
【図１】実施形態１に係る樹脂成形品を示す図である。
【図２】実施形態１に係るインサート材の斜視図であって、（ａ）はインサート材が露出する表面側を示し、（ｂ）はインサート材の裏面側を示す。
【図３】実施形態１に係る樹脂成形品の成形過程において、第１金型にインサート材が配置された状態を示す図である。
【図４】実施形態１に係る樹脂成形品の成形過程を示す図であって、（ａ）は〔図３〕のＩＶａ−ＩＶａ断面図であり、（ｂ）は〔図３〕のＩＶｂ−ＩＶｂ断面図であり、（ｃ）は〔図３〕のＩＶｃ−ＩＶｃ断面図である。
【図５】実施形態２に係る樹脂成形品を示す図である。
【図６】実施形態２に係るインサート材の斜視図であって、（ａ）はインサート材が露出する表面側を示し、（ｂ）はインサート材の裏面側を示す。
【図７】実施形態２に係る樹脂成形品の成形過程において、第１金型にインサート材が配置された状態を示す図である。
【図８】実施形態２に係る樹脂成形品の成形過程を示す図であって、〔図７〕のＶIII−ＶIII断面図である。
【図９】実施形態３に係る樹脂成形品を示す図である。
【図１０】実施形態３に係るインサート材の斜視図であって、（ａ）はインサート材が露出する表面側を示し、（ｂ）はインサート材の裏面側を示す。
【図１１】実施形態３に係る樹脂成形品の成形過程において、第１金型にインサート材が配置された状態を示す図である。
【図１２】実施形態３に係る樹脂成形品の成形過程を示す図であって、（ａ）は〔図１１〕のＸIIａ−ＸIIａ断面図であり、（ｂ）は〔図１１〕のＸIIｂ−ＸIIｂ断面図である。
【図１３】従来のインサート成形方法を示す断面図
【発明を実施するための形態】
【００２０】
以下、本発明の実施形態を図面に基づいて説明する。
【００２１】
以下に示す各実施形態は、インサート材４の一部が露出した状態で樹脂部５に埋設されていると共に、インサート材４の内方部に樹脂充填部４Ａを備えた樹脂成形品１００、及び、その製造に係る第１金型１及び第２金型２を示すものである。
【００２２】
〔実施形態１〕
本願の実施形態１に係る樹脂成形品１００を、図１に示す。この樹脂成形品１００は、インサート材４として、インサート材４の表面側の内方部に樹脂充填部４Ａを備え、その内方にさらに独立したインサート材４の独立露出部４Ｄを備えた樹脂成形品１００である。
【００２３】
樹脂成形品１００は、インサート材４の表面側の内方部に樹脂充填部４Ａを備えており、その内方にさらに独立したインサート材４の独立露出部４Ｄを備えている。インサート材４は、図２（ａ）に示すように、表面側に樹脂が充填される樹脂充填部４Ａが「Ａ」の形状で凹状に切り抜かれて形成されている。また、図２（ｂ）に示すように、インサート材４の一端側（文字「Ａ」の上方の側）の裏側に樹脂充填部４Ａとインサート材４の外縁とを連通する連通部４Ｂがインサート材４の平面方向に沿って形成されており、射出成形の際に連通部４Ｂから樹脂充填部４Ａに樹脂が流入する。また、インサート材４の他方側（文字「Ａ」の下方の側）の裏側には、樹脂充填部４Ａとインサート材４の外縁とを連通する連通部４Ｃがインサート材４の平面方向に沿って２つ形成されており、連通部４Ｃから樹脂充填部４Ａの過剰な樹脂が流出するようになっている。また、樹脂充填部４Ａが凹状に形成されているので、樹脂部５がインサート材４と係止することとなり、樹脂成形品１００からのインサート材４の抜け止め効果が発揮される。
【００２４】
連通部４Ｂまたは連通部４Ｃは、少なくともいずれか一方がインサート材４の表面を除く部位に形成されている方が好ましい。インサート材４の表面を除く部位、つまり、裏面側もしく側面に連通部が形成されていると、インサート材４の表側の周縁部を完全に樹脂成形品１００から露出させることができる。よって、樹脂に埋設されたインサート材４の意匠性が高まる。また、射出成形の際に用いられる樹脂注入用のゲート６の位置によって、連通部４Ｃから樹脂が樹脂充填部４Ａに流入し、連通部４Ｂから樹脂が樹脂充填部４Ａから流出するというように、樹脂が流入する連通部と樹脂が流出する連通部とが逆になってもよい。
【００２５】
インサート材４の樹脂充填部４Ａの内方には、さらにインサート材４の一部である独立露出部４Ｄを形成してもよい。独立露出部４Ｄは樹脂充填部４Ａの底面部４ａを介してインサート材４の外枠４ｂと一体に形成してある。
【００２６】
図１に示す樹脂成形品１００は、図３及び図４に示すように、第１金型１と第２金型２とを用いて製造される。図３は第１金型１にインサート材４が配置された状態を示す図であり、図４（ａ）は図３のＩＶａ−ＩＶａ断面図であり、図４（ｂ）は図３のＩＶｂ−ＩＶｂ断面図であり、図４（ｃ）は図３のＩＶｃ−ＩＶｃ断面図である。
【００２７】
第１金型１及び第２金型２は左右に配置され、それぞれが左右に移動することで金型全体が開閉するようになっている。第１金型１及び第２金型２には、製造される樹脂成形品１００の樹脂部５を加飾する加飾フィルム２０が挿入されている。加飾フィルム２０を用いる場合、製造された樹脂成形品１００を排出した際に金型内に残存するほこりや樹脂かす等が、次に製造される樹脂成形品１００に混入するのを防止する必要がある。このため、金型内のほこり・樹脂カス等の除去・清掃を容易にすべく、金型が左右方向に開閉するように配置している。
【００２８】
加飾フィルム２０は模様が印刷されたフィルムである。樹脂成形品１００の成形と同時に樹脂表面に加飾フィルム２０に印刷された模様が転写され、樹脂成形品１００の樹脂部５の表面に加飾層が形成される。
【００２９】
第１金型１には、インサート材４の保持部である位置決めピン１０が備えられている。この位置決めピン１０が、インサート材４の露出側と反対の部位に設けられた凹部４ｃに係合してインサート部材４の位置決めが行われる。インサート材４に位置決めピン１０を設け、第１金型１に凹部４ｃを設けて、両者の係合によりインサート材４の位置決めをしてもよい。
【００３０】
第１金型１及び第２金型２が開いた状態で、第２金型２に沿って加飾フィルム２０を配置する。続けて、前述のようにインサート材４を位置決めすると共に、吸引機構（第１金型に設けられた通路１１）を用いてインサート材４を吸引して保持し、第１金型１及び第２金型２を閉じる。
【００３１】
第１金型１には樹脂注入用のゲート６が備えられており、当該ゲート６をインサート材４の裏面の連通部４Ｂに向けて直接樹脂が注入されるように配置するとよい。このようにゲート６を配置すると、ゲート６から連通部４Ｂに向けて直接注入された樹脂の圧力がインサート材４に作用してインサート材４を第２金型２の側に押圧しつつ保持し、その結果、第２金型２とインサート材４との間の樹脂の侵入が防止されて、樹脂バリの発生を回避できる。
【００３２】
ここで、インサート材４の加工精度が高く、インサート材４の厚みと第１金型１及び第２金型２によって形成されるキャビティ３の厚みが同じであれば、キャビティ３に加飾フィルム２０とインサート材４とを配置した後、第１金型１及び第２金型２を型締めすることにより、インサート材４は第２金型２の側に押圧され所定位置が保持される。この場合には、第１金型１に備えられるゲート６をインサート材４の裏面に向けて直接樹脂が注入されるように配置しなくてもよい。
【００３３】
図４（ａ）に示すように、金型内に注入された樹脂はインサート材４の周囲から連通部４Ｂを通って樹脂充填部４Ａに流入される。また、図４（ｂ）に示すように、樹脂充填部４Ａには連通部４Ｃが連通されているので、樹脂充填部４Ａ内の過剰な樹脂は連通部４Ｃを通ってインサート材４の外部のキャビティ３に流出される。
【００３４】
また、インサート材４の外周には樹脂成形品１００の表裏方向に対して直角な方向に樹脂部５と係合する鍔状の係止部４Ｆが設けられている。係止部４Ｆは、外周縁に向けて徐々に厚みを薄くした形状とすれば、樹脂部５に対して十分な係止効果が得られると共に、インサート材４のボリュームが低減されてインサート材４を歩留まりよく構成できる。ただし、インサート材４の樹脂充填部４Ａと連通部４Ｂ及び連通部４Ｃによって、インサート材４が樹脂部５に確実に係止される場合には、インサート材４の外周にまで係止部４Ｆを設ける必要はない。
【００３５】
インサート材４の材質は例えば各種の金属であり、樹脂充填部４Ａ等を備えたインサート材４は、ＭＩＭ成形やＣＮＣ加工を施すことで製造される。ただし、インサート材４の材質は金属に限定されるものではなく、セラミック等金属以外の材料であってもよい。
【００３６】
こうして、インサート材４が所定の位置に露出し、インサート材４の内方部に樹脂充填部４Ａが形成され、さらに樹脂充填部４Ａの内部にインサート材４の一部が露出し、樹脂部５の表面に加飾層を備えた樹脂成形品１００が成形される。
【００３７】
成形された樹脂成形品１００は、表面の一部にインサート材４が露出しており、インサート材４の内方部にも模様を有する樹脂部５が配置されて、意匠性に優れたものとなる。インサート材４の外周部の係止部４Ｆが樹脂部５に確実に係合しており、密着性も高く、インサート材４が金属製である場合等は、樹脂成形品１００の耐久性も向上する。
【００３８】
〔実施形態２〕
本願の実施形態２に係る樹脂成形品を、図５に示す。この樹脂成形品１００は、インサート材４の表面側の内方部に文字「Ｆ」形状の樹脂充填部４Ａを備え、樹脂充填部４Ａとインサート材４の周囲の樹脂部５とがインサート材４の表面側で連通する構成である。
【００３９】
インサート材４は、図６（ａ）に示すように、表面側に樹脂が充填される樹脂充填部４Ａが「Ｆ」の形状で凹状に切り抜かれて形成されている。また、図６（ｂ）に示すように、インサート材４の一端側（文字「Ｆ」の上方の側）の裏側に樹脂充填部４Ａとインサート材４の外縁とを連通する連通部４Ｂが形成されており、射出成形の際に連通部４Ｂから樹脂充填部４Ａに樹脂が流入する。また、インサート材４の他方側（文字「Ｆ」の下方の側）の裏側には、樹脂充填部４Ａとインサート材４の外縁とを連通する連通部４Ｃａが１つ形成されており、連通部４Ｃから樹脂充填部４Ａの過剰な樹脂が流出するようになっている。さらに、表面側の樹脂充填部４Ａの一部が外縁端部まで切り欠かれており、インサート材４が樹脂部５に埋設された樹脂成形品１００において、樹脂充填部４Ａとインサート材４の周囲の樹脂部５とが連通している。この場合の連通部４Ｃｂは、樹脂充填部４Ａに連続するインサート材４の側面の開口部である。
【００４０】
図７は第１金型１にインサート材４が配置された状態を示す図である。図８は図７のＶIII−ＶIII断面図である。樹脂成形品１００は、前述の樹脂成形品と同様に第１金型及び第２金型を用いて製造する。ゲート６から金型内に注入された樹脂はインサート材４の周囲からインサート材４の裏側の連通部４Ｂを通って樹脂充填部４Ａに流入される。樹脂充填部４Ａにはインサート材４の裏側の連通部４Ｃａが連通している。さらに、図８に示すように、樹脂充填部４Ａの一部がインサート材４の周囲の樹脂部５との連通部４Ｃｂとして構成されているので、樹脂充填部４Ａ内の過剰な樹脂はインサート材の裏側の連通部４Ｃａと樹脂充填部４Ａに連続するインサート材４の側面の連通部４Ｃｂを通ってインサート材４の外部のキャビティ３に流出される。
【００４１】
ここで、樹脂成形品１００において、樹脂充填部４Ａの樹脂部５の厚みが均一であると、連通部４Ｃｂで樹脂の厚みが急激に変化することになる。そうなると、樹脂成形後に樹脂部が収縮した際に、連通部４Ｃｂで樹脂厚の差による段差が発生し、樹脂成形品の外観上好ましくない。
【００４２】
そこで、図８に示すように、連通部４Ｃｂとこれに連続する樹脂充填部４Ａおけるインサート材４の厚みを、インサート材４の外縁に向けて徐々に薄くなるように形成している。こうすることで、樹脂の厚みが徐々に厚くなって連通部４Ｃｂ付近でインサート材４の外縁の樹脂部５と樹脂充填部４Ａの樹脂部５の樹脂の厚みの変化が小さくなり、樹脂部の収縮に伴う段差の発生を防ぐことができる。
【００４３】
こうして、インサート部４が所定の位置に露出し、インサート材４の内方部に樹脂部５が形成され、インサート材４の周囲の樹脂部５と内方部の樹脂部５とがインサート材の表面側で連通し、樹脂部５の表面に加飾層を備えた樹脂成形品１００が成形される。
【００４４】
〔実施形態３〕
本願の実施形態３に係る樹脂成形品は、図９に示すように、インサート材４の一部が表面に露出するように樹脂部５に埋設され、インサート材４の表面側の内方部に樹脂充填部４Ａを備えた樹脂成形品１００である。樹脂充填部４Ａによって、インサート材４の表面に模様が形成されており、図９では、模様として、樹脂充填部４Ａがアルファベット「Ｌ」を表示している。
【００４５】
インサート材４は、例えば全体が矩形状であって、図１０（ａ）に示すように、表面側に樹脂が充填される樹脂充填部４Ａが「Ｌ」の形状で貫通されて形成されている。また、図１０（ｂ）に示すように、射出成形時に樹脂充填部４Ａに樹脂を流入できるようにインサート材４の裏面側に樹脂充填部４Ａとインサート材４の外縁とを連通する連通部４Ｂと連通４Ｃが形成されている。このように連通部４Ｂと連通部４Ｃを形成することで、樹脂による射出成形時にインサート材４の連通部４Ｂから樹脂充填部４Ａに樹脂が流入し、連通部４Ｃから樹脂充填部４Ａの過剰な樹脂が流出するようになる。
【００４６】
インサート材４の樹脂充填部４Ａは貫通しており、インサート材４の内側面部４Ｅから形成されている。また、インサート材４の外周には樹脂成形品の表裏方向に対して直角な方向に樹脂部５と係合する鍔状の係止部４Ｆが設けられている。係止部４Ｆは、外周縁に向けて徐々に厚みを薄くした形状とすれば、樹脂部５に対して十分な係止効果が得られると共に、インサート材４のボリュームが低減されてインサート材４を歩留まりよく構成できる。係止部４Ｆはインサート材４の外周または樹脂充填部４Ａの内側面部４Ｅの全部に設けてもよいし、一部に設けてもよい。
【００４７】
図９に示す樹脂成形品１００は、図１１及び図１２に示すように、第１金型１と第２金型２とを用いて製造される。図１１は第１金型１にインサート材４が配置された状態を示す図であり、図１２（ａ）は図１１のＸIIａ−ＸIIａ断面図であり、図１２（ｂ）は図１１のＸIIｂ−ＸIIｂ断面図である。
【００４８】
インサート材４を第２金型２の側に押圧しつつ保持した状態で、第１金型１に設けられたゲート６から樹脂を注入する。金型内に注入された樹脂はインサート材４の周囲から連通部４Ｂを通って樹脂充填部４Ａにも流入される。また、樹脂充填部４Ａには、連通部４Ｃも連通されているので、樹脂充填部４Ａ内の過剰な樹脂は連通部４Ｃを通ってインサート材４の外部のキャビティ３に流出される。こうして、インサート部４は、一部が樹脂部５から露出した状態で樹脂部５に埋設され、内方部の樹脂充填部４Ａにも樹脂が充填された、図９の樹脂成形品１００が成形される。
【００４９】
成形された樹脂成形品１００は、表面の一部にインサート材４が露出しており、インサート材４の内方部にも模様を有する樹脂部５が配置されて、意匠性に優れたものとなる。インサート材４の外周部の係止部４Ａが樹脂部５に確実に係合しており、密着性も高く、インサート材４が金属製である場合等は、樹脂成形品の耐久性も向上する。
【００５０】
〔別実施形態〕
（１）実施形態１〜３では、インサート材の連通部４Ｂ及び連通部４Ｃを、インサート材の外縁の対向位置にそれぞれ１つまたは２つ設けたが、連通部はそれぞれ複数設けるようにしてもよい。
【００５１】
（２）実施形態１〜３では、加飾層を有する樹脂成形品を用いて説明したが、本発明に係る樹脂成形品は加飾層を有しないものであってもよい。また、実施形態１〜３の加飾フィルム２０は印刷された模様のみが樹脂表面に転写され、フィルムそのものは樹脂表面に残存しない。
【産業上の利用可能性】
【００５２】
本発明に係る樹脂成形品は、インサート材の露出面に文字や模様等の樹脂部を備えた意匠性の優れた各種の外装品等に利用することができる。
【符号の説明】
【００５３】
１  第１金型
２  第２金型
４  インサート材
４Ａ  樹脂充填部
４Ｂ，４Ｃ，４Ｃａ，４Ｃｂ  連通部
４Ｄ  独立露出部
５  樹脂部
６  ゲート
１００    樹脂成形品
【図１】
2010274605.tif 000003
【図２】
2010274605.tif 000004
【図３】
2010274605.tif 000005
【図４】
2010274605.tif 000006
【図５】
2010274605.tif 000007
【図６】
2010274605.tif 000008
【図７】
2010274605.tif 000009
【図８】
2010274605.tif 000010
【図９】
2010274605.tif 000011
【図１０】
2010274605.tif 000012
【図１１】
2010274605.tif 000013
【図１２】
2010274605.tif 000014
【図１３】
2010274605.tif 000015